(57)【要約】【課題】液晶パネルの表示面の画欠けの防止を図る上で有利でしかも薄型化、軽量化を図る上で有利な液晶表示装置およびテレビジョン装置並びに製造方法を提供する。【解決手段】液晶表示装置３０は、筐体１２と、筐体１２に収容される液晶パネル３２と、液晶パネル３２に照明光を照射するバックライトユニット３４などを含んで構成されている。液晶パネル３２は、バックライトユニット３４に対して機械的に切り離して設けられている。液晶パネル３２は、その周囲を前パネル１５とバックライトユニット用シャーシ３８とで挟持され、パネル側開口１５０２にその表示面３２０２が位置するように筐体１２に組み込まれている。【選択図】図４
2008203319.tif 000002
【特許請求の範囲】
【請求項１】
筐体と、前記筐体に収容される液晶パネルおよび前記液晶パネルに照明光を照射するバックライトユニットとを備え、
前記筐体は、その内側にパネル側開口が形成された前パネルを有し、
前記バックライトユニットは、前記照明光が前記パネル側開口に向けられるように前記バックライトユニットを構成する複数の光学要素を収容し前記筐体の内部でそれら光学要素を支持するバックライトユニット用シャーシを有し、
前記液晶パネルは、前記バックライトユニットに対して機械的に切り離されて設けられ、
前記液晶パネルは、前記液晶パネルの周囲が前記前パネルと前記バックライトユニット用シャーシとに挟持されて前記パネル側開口にその表示面が位置するように前記筐体に組み込まれている、
ことを特徴とする液晶表示装置。
【請求項２】
前記バックライトユニット用シャーシは、前記照明光を前記液晶パネルに照射させるシャーシ側開口を有し、
前記液晶パネルの挟持は、前記パネル側開口の周囲の前記前パネル箇所と、前記シャーシ側開口の周囲の前記バックライトユニット用シャーシ箇所とでなされる、
ことを特徴とする請求項１記載の液晶表示装置。
【請求項３】
前記筐体は、後カバーと前カバーとを有し、
前記前パネルは、前記前カバーに設けられている、
ことを特徴とする請求項１記載の液晶表示装置。
【請求項４】
前記筐体は、後カバーと前カバーとを有し、
前記前パネルは、前記前カバーに設けられ、
前記前カバーと前記後カバーとの結合箇所において、前記バックライトユニット用シャーシの一部はそれら前カバーと前記後カバーとに共締めされている、
ことを特徴とする請求項１記載の液晶表示装置。
【請求項５】
前記前パネルは、前記パネル側開口の周囲に沿って延在し前記表示面を有する前記液晶パネルの前面の周囲の箇所に臨む第１挟持用面を有し、
前記バックライトユニット用シャーシは、前記シャーシ側開口の周囲に沿って延在し前記液晶パネルの背面の周囲の箇所に臨む第２挟持用面を有し、
前記液晶パネルの挟持は、前記液晶パネルの前面の周囲と前記第１挟持面との間に第１弾性材を介在させ、かつ、前記液晶パネルの背面の周囲と前記第２挟持面との間に第２弾性材を介在させ、かつそれら弾性材を圧縮した状態でなされている、
ことを特徴とする請求項２記載の液晶表示装置。
【請求項６】
前記バックライトユニット用シャーシは、前記バックライトユニットの後部が収容されるバックシャーシと、前記バックライトユニットの前部が収容されるミドルシャーシとで構成され、
前記シャーシ側開口および前記第２挟持用面は前記ミドルシャーシに設けられ、
前記前パネルおよび前記ミドルシャーシは共に合成樹脂製で、
前記第１弾性材は絶縁性を有する弾性材料で形成されている、
ことを特徴とする請求項５記載の液晶表示装置。
【請求項７】
前記前パネルが前記筐体の内部に臨む背面に、バックライトユニット用シャーシの側面に当接可能で係止孔が形成された複数の当接片が突設され、
バックライトユニット用シャーシの側面に前記係止孔に係止可能な係止突起が形成され、
前記複数の当接片が前記バックライトユニット用シャーシの側面にそれぞれ当接し、前記係止突起と前記係止孔が係止することで、前記前パネルに対する前記バックライトユニットの仮固定がなされると共に、前記液晶パネルが前記前パネルと前記バックライトユニット用シャーシとに挟持される、
ことを特徴とする請求項１記載の液晶表示装置。
【請求項８】
前記前パネルが前記液晶パネルの外側かつ前記当接片よりも前記パネル側開口寄りの箇所で前記バックライトユニット用シャーシに臨む背面に、前記当接片よりも大きな突出長さで位置決め片が設けられ、
前記バックライトユニット用シャーシが前記液晶パネルの外側で前記前パネルに臨む前面に、前記位置決め片が挿入される位置決め溝が形成されている、
ことを特徴とする請求項７記載の液晶表示装置。
【請求項９】
筐体と、前記筐体に収容される液晶パネルおよび前記液晶パネルに照明光を照射するバックライトユニットとを備え、
前記筐体は、その内側にパネル側開口が形成された前パネルを有し、
前記バックライトユニットは、前記照明光が前記パネル側開口に向けられるように前記バックライトユニットを構成する複数の光学要素を収容し前記筐体の内部でそれら光学要素を支持するバックライトユニット用シャーシを有し、
前記液晶パネルは、前記バックライトユニットに対して機械的に切り離されて設けられ、
前記液晶パネルは、前記液晶パネルの周囲が前記前パネルと前記バックライトユニット用シャーシとに挟持されて前記パネル側開口にその表示面が位置するように前記筐体に組み込まれている、
ことを特徴とするテレビジョン装置。
【請求項１０】
液晶パネルに照明光を照射する複数の光学要素をバックライト用シャーシに前記照明光が上方に向けられるように組み付けることでバックライトユニットを組み立て、
次いで、前記バックライト用シャーシに設けられた照明光照射用のシャーシ側開口の周囲の前記バックライト用シャーシの箇所に、表示面を上に向けて液晶パネルを載置し、
次いで、前記液晶パネルの上に、パネル側開口の内側に前記液晶パネルの表示面が位置するように前カバーの前パネルを被せて前記前パネルと前記バックライト用シャーシとを係止させ、これにより、前記液晶パネルを、前記前パネルと前記バックライト用シャーシとにより挟持し、
次いで、それら組み付けられたものを、前記前パネルが下になるように上下に反転させ、
次いで、前記バックライトユニットを覆うように後カバーを被せ、ねじにより前記後カバーを前記バックライト用シャーシとともに前記前カバーに取着する、
ことを特徴とする液晶表示装置の製造方法。
【請求項１１】
液晶パネルに照明光を照射する複数の光学要素をバックライト用シャーシに前記照明光が上方に向けられるように組み付けることでバックライトユニットを組み立て、
次いで、前記バックライト用シャーシに設けられた照明光照射用のシャーシ側開口の周囲の前記バックライト用シャーシの箇所に、前記シャーシ側開口に沿って延在する第２弾性材を載置し、
次いで、前記第２弾性材上に、表示面を上に向けて液晶パネルを載置し、
前記パネル側開口を有する前カバーの背面に前記パネル側開口に沿って第１弾性材を接着しておき、
次いで、前記液晶パネルの上に、パネル側開口の内側に前記液晶パネルの表示面が位置するように前カバーの前パネルを被せて前記前パネルと前記バックライト用シャーシとを係止させ、これにより、前記液晶パネルを、前記第１弾性材および前記第２弾性材を圧縮した状態で前記前パネルと前記バックライト用シャーシとにより挟持し、
次いで、それら組み付けられたものを、前記前パネルが下になるように上下に反転させ、
次いで、前記バックライトユニットを覆うように後カバーを被せ、ねじにより前記後カバーを前記バックライト用シャーシとともに前記前カバーに取着する、
ことを特徴とする液晶表示装置の製造方法。
【請求項１２】
前記液晶パネル側に位置する前記前パネルの背面に、前記バックライトユニット用シャーシの側面に当接可能で係止孔が形成された複数の当接片が突設され、
前記バックライトユニット用シャーシの側面に前記係止孔に係止可能な係止突起が形成され、
前記前パネルと前記バックライト用シャーシとの係止は、前記係止突起と前記係止孔が係止することでなされ、
前記複数の当接片が前記バックライトユニット用シャーシの側面にそれぞれ当接し、前記係止突起と前記係止孔が係止することで、前記前パネルに対する前記バックライトユニットの仮固定がなされると共に、前記液晶パネルの挟持がなされ、
前記前パネルが前記液晶パネルの外側かつ前記当接片よりも前記パネル側開口寄りの箇所で前記バックライトユニット用シャーシに臨む背面に、前記当接片よりも大きな突出長さで位置決め片が設けられ、
前記バックライトユニット用シャーシが前記液晶パネルの外側で前記前パネルに臨む前面に、前記位置決め片が挿入される位置決め溝が形成され、
前記液晶パネルの上に前記前パネルを被せる際に、前記位置決め片が前記位置決め溝へ挿入されることが視認される、
ことを特徴とする請求項１０または１１記載の液晶表示装置の製造方法。
【発明の詳細な説明】
【技術分野】
【０００１】
本発明は液晶表示装置およびテレビジョン装置並びにその製造方法に関する。
【背景技術】
【０００２】
液晶表示装置を用いたテレビジョン装置やパーソナルコンピュータのディスプレイ装置などが提供されている。
このような液晶表示装置は、筐体と、この筐体に収容される液晶パネルと、前記液晶パネルに照明光を照射するバックライトユニットとを備えている。
筐体は、前方に臨みその内側に開口が形成された合成樹脂製の前パネルを有している。
バックライトユニットは、バックライトシャーシを有し、バックライトシャーシには、バックライトを構成する複数の光学要素が収容され、また、液晶パネルが保持されている。
液晶パネルの保持は、液晶パネルの背面の周囲に当接されるバックライトシャーシの部分と、液晶パネルの前面の周囲に当接されるバックライトシャーシ部分（トップシャーシ）とで挟持されることでなされている（特許文献１参照）。
そして、液晶パネルの表示面が開口の内側に位置するように筐体にバックライトユニットが組み付けられている。
【特許文献１】特開平８−２３４６７８
【発明の開示】
【発明が解決しようとする課題】
【０００３】
そのため、従来の液晶表示装置では、液晶パネルの表示面の外周で枠状に延在する非表示領域の部分にバックライトシャーシ部分（トップシャーシ）が配置され、さらに、このバックライトシャーシ部分（トップシャーシ）を隠すように前パネルが配置されることになる。
したがって、非表示領域の限られたスペースにバックライトシャーシ部分（トップシャーシ）と前パネルとの２つの部品を配置せざるを得ないため、前パネルの開口の内縁が表示面の外縁に近接して配置されることになり、前パネルの部分によって表示面の一部が隠される、いわゆる画欠けが生じることが懸念される。
本発明はこのような事情に鑑みなされたものであり、その目的は、液晶パネルの表示面の画欠けの防止を図る上で有利でしかも薄型化、軽量化を図る上で有利な液晶表示装置およびテレビジョン装置並びにその製造方法を提供することにある。
【課題を解決するための手段】
【０００４】
上述の目的を達成するため、本発明の液晶表示装置は、筐体と、前記筐体に収容される液晶パネルおよび前記液晶パネルに照明光を照射するバックライトユニットとを備え、前記筐体は、その内側にパネル側開口が形成された前パネルを有し、前記バックライトユニットは、前記照明光が前記パネル側開口に向けられるように前記バックライトユニットを構成する複数の光学要素を収容し前記筐体の内部でそれら光学要素を支持するバックライトユニット用シャーシを有し、前記液晶パネルは、前記バックライトユニットに対して機械的に切り離されて設けられ、前記液晶パネルは、前記液晶パネルの周囲が前記前パネルと前記バックライトユニット用シャーシとに挟持されて前記パネル側開口にその表示面が位置するように前記筐体に組み込まれていることを特徴とする。
また本発明のテレビジョン装置は、筐体と、前記筐体に収容される液晶パネルおよび前記液晶パネルに照明光を照射するバックライトユニットとを備え、前記筐体は、その内側にパネル側開口が形成された前パネルを有し、前記バックライトユニットは、前記照明光が前記パネル側開口に向けられるように前記バックライトユニットを構成する複数の光学要素を収容し前記筐体の内部でそれら光学要素を支持するバックライトユニット用シャーシを有し、前記液晶パネルは、前記バックライトユニットに対して機械的に切り離されて設けられ、前記液晶パネルは、前記液晶パネルの周囲が前記前パネルと前記バックライトユニット用シャーシとに挟持されて前記パネル側開口にその表示面が位置するように前記筐体に組み込まれていることを特徴とする。
また本発明の液晶表示装置の製造方法は、液晶パネルに照明光を照射する複数の光学要素をバックライト用シャーシに前記照明光が上方に向けられるように組み付けることでバックライトユニットを組み立て、次いで、前記バックライト用シャーシに設けられた照明光照射用のシャーシ側開口の周囲の前記バックライト用シャーシの箇所に、表示面を上に向けて液晶パネルを載置し、次いで、前記液晶パネルの上に、パネル側開口の内側に前記液晶パネルの表示面が位置するように前カバーの前パネルを被せて前記前パネルと前記バックライト用シャーシとを係止させ、これにより、前記液晶パネルを、前記前パネルと前記バックライト用シャーシとにより挟持し、次いで、それら組み付けられたものを、前記前パネルが下になるように上下に反転させ、次いで、前記バックライトユニットを覆うように後カバーを被せ、ねじにより前記後カバーを前記バックライト用シャーシとともに前記前カバーに取着することを特徴とする。
また本発明の液晶表示装置の製造方法は、液晶パネルに照明光を照射する複数の光学要素をバックライト用シャーシに前記照明光が上方に向けられるように組み付けることでバックライトユニットを組み立て、次いで、前記バックライト用シャーシに設けられた照明光照射用のシャーシ側開口の周囲の前記バックライト用シャーシの箇所に、前記シャーシ側開口に沿って延在する第２弾性材を載置し、次いで、前記第２弾性材上に、表示面を上に向けて液晶パネルを載置し、次いで、前記液晶パネルの表示面の周囲の箇所に、前記周囲の箇所に沿って延在する第１弾性材を載置し、次いで、前記液晶パネルの上に、パネル側開口の内側に前記液晶パネルの表示面が位置するように前カバーの前パネルを被せて前記前パネルと前記バックライト用シャーシとを係止させ、これにより、前記液晶パネルを、前記第１弾性材および前記第２弾性材を圧縮した状態で前記前パネルと前記バックライト用シャーシとにより挟持し、次いで、それら組み付けられたものを、前記前パネルが下になるように上下に反転させ、次いで、前記バックライトユニットを覆うように後カバーを被せ、ねじにより前記後カバーを前記バックライト用シャーシとともに前記前カバーに取着することを特徴とする。
【発明の効果】
【０００５】
本発明によれば、液晶パネルを、バックライトユニットに対して機械的に切り離して設け、液晶パネルの周囲を前パネルとバックライトユニット用シャーシとで挟持してパネル側開口にその表示面が位置するように筐体に組み込むようにした。
そのため、従来必要であったトップシャーシを省略できる。
したがって、非表示領域の限られた狭いスペースには前パネルのみを配置すればよいので、パネル側開口の内縁と、表示面の外縁との間のスペース、すなわち、画欠けマージンを大きく確保する上で有利となり画欠けを防止する上で有利となる。
また、液晶表示装置の薄型化、軽量化を図る上で有利となる。
また本発明の製造方法によれば、液晶表示装置の組み立てを効率よく行う上で有利となる。
【発明を実施するための最良の形態】
【０００６】
次に、本発明の実施の形態について図面を参照して説明する。
まず、第１の実施の形態の液晶表示装置３０を用いたテレビジョン装置１０について説明する。
図１はテレビジョン装置１０の斜視図、図２は同分解斜視図である。
図１、図２に示すように、テレビジョン装置１０は、外装を構成する筐体１２と、筐体１２の下部に設けられ載置面に載置されるスタンド１２Ａとを備え、筐体１２内部に本発明に係る液晶表示装置３０が組み込まれ、また、筐体１２に電装部２０（図３参照）が設けられている。
【０００７】
筐体１２は前カバー１４と後カバー１６とを備えて矩形板状を呈し、図中符号１８は左右のスピーカーを示し、筐体１２はテレビジョン装置１０の筐体であり、液晶表示装置３０の筐体でもある。
【０００８】
図３はテレビジョン装置１０の電装部２０の構成を示すブロック図である。
図３に示すように、電装部２０は、受信部２０Ａ、映像信号処理部２０Ｂ、音声信号処理部２０Ｃ、制御部２０Ｄ、操作部２０Ｅなどを含んで構成されている。
受信部２０Ａは、制御部２０Ｄからの指令に基づいて選局を行い、アンテナから受信したテレビジョン信号を復調して映像信号と音声信号に分離して出力する。
映像信号処理部２０Ｂは、前記映像信号に対して必要な信号処理を行い、液晶表示装置３０（図１参照）の液晶パネル３２に供給する。これにより、液晶パネル３２で画像が表示される。
音声信号処理部２０Ｃは、前記音声信号に対して必要な信号処理および増幅処理を行なってオーディオ信号を生成しスピーカー１８に供給する。これによりスピーカー１８から音声が発生される。
操作部２０Ｅは、テレビジョン装置１０による放送の視聴にまつわる種々の操作や設定を行うためのものであり、例えば、選局スイッチ、音量調整スイッチ、入力切り換えスイッチなどを含んでいる。
【０００９】
制御部２０Ｄは、操作部２０Ｅの操作に基づいて、受信部２０Ａ、映像信号処理部２０Ｂ、音声信号処理部２０Ｃの制御を行う。
また、図示しないが、ＤＶＤプレーヤーやビデオデッキなどの外部装置から供給される映像信号および音声信号を入力するための外部入力端子と、これら外部入力端子に供給された映像信号および音声信号を映像信号処理部２０Ｂおよび音声信号処理部２０Ｃに切り換えて入力する入力切り換え回路が設けられている。
操作部２０Ｅの操作により前記外部入力端子に供給される映像信号および音声信号が前記入力切り換え回路を介して映像信号処理部２０Ｂおよび音声信号処理部２０Ｃに供給されるようになっている。
【００１０】
次に、液晶表示装置３０について説明する。
図４は図１のＡＡ線断面図、図５は前カバー１４、液晶パネル３２、バックライトユニット３４の斜視図、図６（Ａ）、（Ｂ）は液晶表示装置３０の組み立て説明図、図７は図６（Ｂ）の要部拡大図である。
【００１１】
図２に示すように、液晶表示装置３０は、上述した筐体１２と、バックライトユニット３４と、液晶パネル３２とを含んで構成されている。
筐体１２は上述のように前カバー１４と後カバー１６を備え、前カバー１４は、その内側にパネル側開口１５０２が形成された前パネル１５を有している。
図４に示すように、前パネル１５が筐体１２の内部に臨む背面で、パネル側開口１５０２の周囲に沿って第１挟持用面３６が延在形成されている。第１挟持用面３６は、表示面３２０２を有する液晶パネル３２の前面の周囲の箇所に臨むように形成されている。
また、図４、図５、図６に示すように、前パネル１５が筐体１２の内部に臨む背面に、バックライトユニット用シャーシ３８の上下左右の側面３８０２にそれぞれ当接可能で係止孔１５１０が形成された当接片１５１２が複数突設されている。
また、図５に示すように、前パネル１５が液晶パネル３２の外側でバックライトユニット用シャーシ３８に臨む背面に、当接片１５１２よりも大きな突出長さで位置決め片１５２０が設けられている。
本実施の形態では、前パネル１５を含む前カバー１４は合成樹脂製である。
【００１２】
図４に示すように、バックライトユニット３４は、液晶パネル３２の背面３２０４に照明光を照射するもので、このように照明光を照射した状態で、画像表示用の駆動信号が液晶パネル３２の走査線、信号線、対向電極に供給され液晶層の液晶が駆動されることで液晶パネル３２の表示面３２０２に画像が表示される。
バックライトユニット３４は、液晶パネル３２の後方に位置する部分に形成され前方に開放状の照明用空間３４Ａと、照明用空間３４Ａに配設される光源３４Ｂと、照明用空間３４Ａで光源３４Ｂの後方に配置された反射シート３４Ｃと、照明用空間３４Ａの前部を閉塞する拡散板３４Ｄおよび光学シート３４Ｅなどを含んで構成されている。
光源３４Ｂは、電流が供給されることにより白色光を発光する例えば冷陰極管で構成されている。
より詳細には、蛍光管は、両側に電極が形成され、内壁に所定の蛍光材料が塗布され、管内にＨｇ（水銀）、Ｘｅ（キセノン）などの希ガスが封入されている。蛍光管はそれら電極に電流が流されると、フィラメントから熱電子が管内に放出され、放電が始まり、熱電子が管内のＨｇ原子と衝突して励起され、紫外線を放射する。Ｈｇ原子は、紫外線を放射することにより基底状態となる。そして、この紫外線が管壁に塗布されている蛍光材料により吸収されて白色光を外部に出射する。
【００１３】
反射シート３４Ｃは高い反射率を有する材料で形成され、光源３４Ｂから照射された光を拡散板３４Ｄに反射して導くものであり、このような反射シート３４Ｃとして、従来公知のさまざまな市販品や材料が採用可能である。
拡散板３４Ｄは、光源３４Ｂから照射された光、および、反射シート３４Ｃで拡散板３４Ｄに反射された光の双方を拡散させて液晶パネル３２を後方から照射させるものであり、拡散板３４Ｄは半透明な材料で形成されている。
このような拡散板３４Ｄを構成する半透明な材料として、例えば、ポリスチレン樹脂あるいはＭＳ樹脂（スチレン−メチルメタクリレート樹脂）などの従来公知のさまざまな材料が採用可能である。
光学シート３４Ｅは、拡散板３４Ｄからの光を液晶パネル３２に導くものであり、光学シート３４Ｅは、拡散板３４Ｄが液晶パネル３２に臨む面に設けられている。光学シート３４Ｅは、従来公知のさまざまな市販品や材料が採用可能である。
なお、バックライトユニット３４は従来公知のさまざまな構成が採用可能である。
【００１４】
バックライトユニット３４は、照明光が液晶パネル３２に向けられるようにバックライトユニット３４を構成する複数の光学要素（上述した光源３４Ｂ、反射シート３４Ｃ、拡散板３４Ｄ、光学シート３４Ｅなど）を収容し筐体１２の内部でそれら光学要素を支持するバックライトユニット用シャーシ３８を有している。
バックライトユニット用シャーシ３８は、バックライトユニット３４の後部が収容されるバックシャーシ４０と、バックライトユニット３４の前部が収容されるミドルシャーシ４２とで構成されている。
ミドルシャーシ４２は、前記照明光を液晶パネル３２の背面３２０４に導くシャーシ側開口４２０２を有している。
ミドルシャーシ４２は、シャーシ側開口４２０２の周囲に沿って延在し液晶パネル３２の背面３２０４の周囲の箇所に臨む第２挟持用面４４を有している。
バックシャーシ４０は金属製で、ミドルシャーシ４２は合成樹脂製である。
図４に示すように、バックシャーシ４０の上下左右の側面に係止孔１５１０に係止可能な係止突起４０１０が形成されている。
図５に示すように、ミドルシャーシ４２が液晶パネル３２の外側で前パネル１５に臨む前面に、位置決め片１５２０が挿入される位置決め溝４２２０が形成されている。
図２、図４に示すように、バックライトユニット用シャーシ３８の一部は、本実施の形態では、前カバー１４と後カバー１６との結合箇所において、ブラケット４６を介してそれら前カバー１４と後カバー１６とにねじ２Ｂで共締めされている。
また、図４に示すように、ミドルシャーシ４２の前部とバックシャーシ４０の前部とがねじ２Ｃにより締結されている。
なお、図４において符号４８はサイドモールドを示している。また、図２において、符号４３は前述した電装部２０を構成する基板部を示し、基板部４３はバックシャーシ４０の箇所にねじを介して取着されている。
【００１５】
図２に示すように、液晶パネル３２は矩形板状を呈している。
液晶パネル３２は、２枚の透明なガラス基材と、それらガラス基材の間に挟まれた液晶層と、それらガラス基材の内面に設けられた透明電極と、カラーフィルターと、偏光板などを含んで構成され、厚さ方向の一方の面である前面に表示面３２０２が形成され、他方の面が背面３２０４となっている。
より詳細には、液晶パネル３２は、ガラスなどで構成された２枚の透明な基板を互いに対向配置させ、その間隙に、液晶を封入した液晶層を設けて構成されている。
一方の基板には、マトリクス状に配置された信号線、走査線、信号線と走査線の交点に配置されたスイッチング素子（薄膜トランジスタ）、画素電極などが形成されている。スイッチング素子は走査線により順次選択されると共に、信号線から供給される映像信号を、対応する画素電極に書き込む。
他方の基板には、対向電極、カラーフィルターが形成されている。
カラーフィルターは各画素に対応した複数のセグメントに分割されており、例えば、３原色である、赤色フィルタ、緑色フィルタ、青色フィルタの３つのセグメントに分割されている。
さらに、これら２枚の基板は２枚の偏光板で挟まれている。
なお、このような液晶パネル３２自体の構造には従来公知のさまざまな構成が採用可能である。
【００１６】
図４に示すように、液晶パネル３２は、バックライトユニット３４に対して機械的に切り離されて設けられている。
液晶パネル３２の筐体１２への組み込みは、液晶パネル３２が挟持されることでなされており、本実施の形態では、液晶パネル３２の前面の周囲と第１挟持用面３６との間に第１弾性材５０を介在させ、かつ、液晶パネル３２の背面３２０４の周囲と第２挟持用面４４との間に第２弾性材５２を介在させ、かつそれら弾性材５０、５２を圧縮した状態でなされている。
言い換えると、液晶パネル３２は、液晶パネル３２の周囲が前パネル１５とバックライトユニット用シャーシ３８とに挟持されてパネル側開口１５０２にその表示面３２０２が位置するように筐体１２に組み込まれている。
第１弾性材５０および第２弾性材５２として、ゲル状のクッション材などが採用可能である。
本実施の形態では、上述のように前パネル１５およびミドルシャーシ４２が共に合成樹脂製であるため、筐体１２の外部から筐体１２に静電気が伝わると、その静電気が前パネル１５と液晶パネル３２との間の隙間、すなわち、第１挟持用面３６と表示面３２０２との間の隙間から筐体１２内部に侵入し、筐体１２内部の電子部品にダメージを与えることが懸念される。
そのため、本実施の形態では、第１弾性材５０を絶縁性を有する弾性材料で形成することによって静電気が筐体１２の内部に侵入することが効果的に防止され、静電気対策が図られている。
【００１７】
次に、組み立てについて説明する。
図４に示すように、バックライトユニット３４を構成する前記光学要素（光源３４Ｂ、反射シート３４Ｃ、拡散板３４Ｄ、光学シート３４Ｅなど）を、バックシャーシ４０、ミドルシャーシ４２、サイドモールド４８などを介して組み付け、バックライトユニット３４を組み立てる。
なお、この場合、バックシャーシ４０にブラケット４６をねじ２Ａで取着しておいてもよく、あるいは、後述するように、バックライトユニット３４を上下に反転させたのち、バックシャーシ４０にブラケット４６をねじ２Ａで取着してもよい。
前パネル１５の第１挟持用面３６に沿って第１弾性材５０を接着剤により接着しておく。
次いで、バックシャーシ４０を下にしてバックライトユニット３４を組み立て箇所に載置し、第２挟持用面４４の上に第２弾性材５２を載置する。
次いで、第２弾性材５２上に、表示面３２０２を上に向けて液晶パネル３２を載置する。
次いで、図６（Ａ）、（Ｂ）に示すように、パネル側開口１５０２の内側に表示面３２０２が位置するように液晶パネル３２の上に前パネル１５を被せる。
【００１８】
この場合、作業者は、図６（Ａ）、（Ｂ）、図７に示すように、位置決め片１５２０を視認し位置決め片１５２０が位置決め溝４２２０に入るように前パネル１５を液晶パネル３２上に被せていくと、バックライトユニット３４に対する前パネル１５の左右上下の位置決めの目安となり、前パネル１５の組み付けが簡単になされる。
すなわち、液晶パネル３２の上に前パネル１５を被せていくと、ミドルシャーシ４２の側面に当接片１５１２が円滑に当接する。
そして、前パネル１５をバックライトユニット３４側に押し込むことで、係止孔１５１０と係止突起４２１０が係止し、前パネル１５と液晶パネル３２とバックライトユニット３４とが組み付けられ仮固定される。
また、係止孔１５１０と係止突起４２１０が係止した状態で、液晶パネル３２は、第１弾性材５０および第２弾性材５２が圧縮された状態で第１挟持用面３６と第２挟持用面４４との間に挟持される。
【００１９】
このように前パネル１５と液晶パネル３２とバックライトユニット３４が組み付けられたならば、組み付け箇所においてそれら組み付けられたものを上下に反転させる。すなわち、前パネル１５が下に、バックシャーシ４０が上になるように反転させる。
次に、図２、図４に示すように、バックライトユニット３４を覆うように後カバー１６を被せ、ねじ２Ｂにより後カバー１６をブラケット４６とともに前カバー１４に取着する。
これにより液晶表示装置３０、すなわち、テレビジョン装置１０の組み立てが完了する。
【００２０】
本実施の形態によれば、液晶パネル３２を、バックライトユニット３４に対して機械的に切り離して設け、液晶パネル３２の周囲を前パネル１５とバックライトユニット用シャーシ３８とで挟持してパネル側開口１５０２にその表示面３２０２が位置するように筐体１２に組み込むようにした。
そのため、液晶パネル３２の表示面（表示領域）３２０２の外周で枠状に延在する非表示領域の部分には、前パネル１５が配置されるのみであり、従来必要であったトップシャーシが配置されない。
したがって、非表示領域の限られた狭いスペースには前パネル１５のみを配置すればよいので、パネル側開口１５０２の内縁と、表示面３２０２の外縁との間のスペース、すなわち、画欠けマージンを大きく確保する上で有利となり画欠けを防止する上で有利となる。
【００２１】
また本実施の形態では、従来設けられていた金属製のトップシャーシを省くことができるため、液晶表示装置２０の薄型化を図る上で有利となり、また、部品コストおよび組み立てコストを低減する上で、また、軽量化を図る上で有利となる。
また、従来必要であった、金属製のトップシャーシを介して発生する輻射ノイズを抑制するためのノイズ対策部品も不要となるため、コストを削減する上でより有利となる。
【００２２】
また本実施の形態では、組み立て作業時に、前パネル１５をバックライトユニット用シャーシ３８に被せる場合に、前パネル１５の部分によってバックライトユニット３４の輪郭が隠された状態となったとしても、前パネル１５の位置決め片１５２０を視認し位置決め片１５２０がバックライトユニット用シャーシ３８の位置決め溝４２２０に入るように前パネル１５を液晶パネル３２上に被せていくことで、バックライトユニット３４に対する前パネル１５の左右上下の位置決めを簡単かつ確実に行え、作業性の向上を図る上で有利となる。
【００２３】
なお、本実施の形態では、液晶表示装置３０がテレビジョン装置１０に適用された場合について説明したが、本発明は、デスクトップ型のパーソナルコンピュータのモニタ装置、ノート型パーソナルコンピュータ、液晶表示装置３０を有するビデオカメラやデジタルスチルカメラなどの撮像装置、ＰＤＡ、携帯電話機に用いることができることは無論のこと、液晶表示装置３０を有する種々の電子機器に広く用いることができる。
【図面の簡単な説明】
【００２４】
【図１】テレビジョン装置１０の斜視図である。
【図２】テレビジョン装置１０の分解斜視図である。
【図３】テレビジョン装置１０の電装部２０の構成を示すブロック図である。
【図４】図１のＡＡ線断面図である。
【図５】図５は前カバー１４、液晶パネル３２、バックライトユニット３４の斜視図である。
【図６】（Ａ）、（Ｂ）は液晶表示装置３０の組み立て説明図である。
【図７】図６（Ｂ）の要部拡大図である。
【符号の説明】
【００２５】
１０……テレビジョン装置、１２……筐体、１５……前パネル、１５０２……パネル側開口、３０……液晶表示装置、３２……液晶パネル、３２０２……表示面、３４……バックライトユニット、３８……バックライトユニット用シャーシ。
【図１】
2008203319.tif 000003
【図２】
2008203319.tif 000004
【図３】
2008203319.tif 000005
【図４】
2008203319.tif 000006
【図５】
2008203319.tif 000007
【図６】
2008203319.tif 000008
【図７】
2008203319.tif 000009